(57)【要約】【課題】  ２つの操作体を有するドラグ調整つまみにおいて、先端側に配置された第１操作体が不意に回動しないようにする。【解決手段】  ドラグ調整つまみ６１は、先端に第１雄ねじ部１５ａが形成されたスプール軸１５に装着されたスプール４を制動するドラグ機構６０のドラグ力を調整するものであって、第１操作体８０と、筒状体８１と、第２操作体８２とを備えている。第１操作体は、スプール軸との相対回転により前後移動するように第１雄ねじ部に係合する第１雌ねじ部を有するものである。筒状体は、第１操作体の後方に配置され、第１操作体により前方への移動が規制された状態でスプール軸に装着され、外周に第２雄ねじ部を有するものである。第２操作体は、第１操作体と同芯に配置され、第１操作体の周囲を筒状に覆いかつ部分的に露出させるカバー部１００ｃ、及び筒状体との相対回転により前後移動するように第２雄ねじ部に係合する第２雌ねじ部を有し、ドラグ機構０に接触してドラグ力を調整するためのものである。【選択図】      図４
2005110528.tif 000002
【特許請求の範囲】
【請求項１】
スピニングリールのリール本体に対して前後移動自在であり先端に第１係合部が形成されたスプール軸に、後方への移動が規制された状態で回転自在に装着されたスプールを制動するドラグ機構のドラグ力を調整するスピニングリールのドラグ調整つまみであって、
前記スプール軸との相対回転により前後移動するように前記第１係合部に係合する第１被係合部を有する円筒状の第１操作体と、
前記第１操作体の後方に配置され、前記第１操作体により前方への移動が規制された状態で前記スプール軸に回転不能にかつ軸方向移動自在に装着され、外周に第２係合部を有する筒状体と、
前記第１操作体と同芯に配置され、前記第１操作体の周囲を筒状に覆いかつ部分的に露出させるカバー部、及び前記筒状体との相対回転により前後移動するように前記第２係合部に係合する第２被係合部を有し、前記ドラグ機構に接触してドラグ力を調整するための第２操作体と、
を備えたスピニングリールのドラグ調整つまみ。
【請求項２】
前記第１及び第２係合部は、第１及び第２雄ねじ部であり、前記第１及び第２被係合部は、前記第１及び第２雄ねじ部に螺合する第１及び第２雌ねじ部である、請求項１に記載のスピニングリールのドラグ調整つまみ。
【請求項３】
前記第２操作体は、
前記カバー部及び前記第２被係合部を有する第２操作体本体と、
前記第２操作体本体と前記ドラグ機構との間に両者に接触可能に配置され、前記スプール軸に対して回転不能かつ軸方向移動自在な押圧体とを有する、請求項１又は２に記載のスピニングリールのドラグ調整つまみ。
【請求項４】
前記筒状体は、前記第１操作体の後部に接触して配置されて前記前方への移動が規制されるとともに、後方へ移動自在に前記スプール軸に装着されており、
前記第１操作体は、１回転当たり前記第２操作体と異なる移動量で前記スプール軸に対して移動して前記ドラグ力を調整するために使用される、請求項１から３のいずれかに記載のスピニングリールのドラグ調整つまみ。
【請求項５】
前記筒状体は、前記第１操作体の後部に接触して配置されて前記前方への移動が規制されるとともに、後方への移動が規制された状態で前記スプール軸に装着されており、
前記第１操作体は、前記スプール軸に対して前記スプールを着脱操作するために使用される、請求項１から３のいずれかに記載のスピニングリールのドラグ調整つまみ。
【請求項６】
前記カバー部は、前記第１操作体の周囲を覆う筒状のカバー部本体と、前記カバー部本体の対向する周面に形成され前記第１操作体の周面を露出させる１対の切欠き部とを有する、請求項１から５のいずれかに記載のスピニングリールのドラグ調整つまみ。
【請求項７】
前記第２操作体は、前記第１操作体の前端部を部分的に覆う橋絡部をさらに有する、請求項１から６のいずれかに記載のスピニングリールのドラグ調整つまみ。
【請求項８】
前記筒状体を前記第１操作体に対して相対回転自在に抜け止めする第１抜け止め部をさらに備える、請求項１から７のいずれかに記載のスピニングリールのドラグ調整つまみ。
【請求項９】
、
前記第１操作体は、
後端面に開口して形成された円形の凹部と、前記後端面と対向する前端面から前記凹部の外縁部を通って前記後端面の手前側まで周方向に間隔を隔てかつ前記円形の軸方向に沿って形成された複数の係止溝とを有する筒状の第１操作体本体と、
前記第１操作体本体の内周部に回転不能かつ前方への移動が規制された状態で装着され前記第１被係合部を有するナット部材とを有し、
前記筒状体は、前記凹部に収納される第１鍔部を有し、
前記第１抜け止め部は、
前記複数の係止溝に係止される複数の係合部と、前記係合部と一体形成され前記筒状体の第１鍔部に前記開口側から接触する接触部とを有し、前記筒状体を抜け止めするために前記凹部の開口側から装着可能な弾性を有するばね部材である、請求項８に記載のスピニングリールのドラグ調整つまみ。
【請求項１０】
前記体２操作体は、前記押圧体を前記第２操作体本体に対して相対回転自在に抜け止めする第２抜け止め部をさらに有する、請求項３から９のいずれかに記載のスピニングリールのドラグ調整つまみ。
【請求項１１】
前記第２操作体本体は、後端面に開口して形成された円形の凹部を有し、
前記押圧体は、前記凹部に収納される第２鍔部を有し、
前記第２抜け止め部は、頭部を有し前記第２操作体にねじ込まれ前記頭部で前記鍔部を係止可能なねじ部材である、請求項１０に記載のスピニングリールのドラグ調整つまみ。
【請求項１２】
前記第１操作体と前記筒状体との相対回転により発音する第１発音部をさらに備える、請求項１から１１のいずれかに記載のスピニングリールのドラグ調整つまみ。
【請求項１３】
前記第２操作体本体と前記押圧体との相対回転により発音する第２発音部をさらに備える、請求項３から１２のいずれかに記載のスピニングリールのドラグ調整つまみ。
【請求項１４】
前記第１発音部は、前記第２発音部より細かなピッチのクリック音を発生する、請求項１３に記載のスピニングリールのドラグ調整つまみ。
【請求項１５】
前記前記第２雄ねじ部は、前記第１雄ねじ部よりリードが大きく、かつ前記第２操作体は、回動範囲が３６０度未満に限定されている、請求項２から１４のいずれかに記載のスピニングリールのドラグ調整つまみ。
【発明の詳細な説明】
【技術分野】
【０００１】
本発明は、ドラグ調整つまみ、特に、スピニングリールのリール本体に対して前後移動自在であり先端に第１雄ねじ部が形成されたスプール軸に、後方への移動が規制された状態で回転自在に装着されたスプールを制動するドラグ機構のドラグ力を調整するスピニングリールのドラグ調整つまみに関する。
【背景技術】
【０００２】
スピニングリールのスプールに設けられたフロントドラグ機構のドラグ力を調整するドラグ調整つまみとして、２つの操作体を有するものが知られている（たとえば、特許文献１及び特許文献２参照）。前者の従来のドラグ調整つまみは、ドラグ力を調整するためのドラグノブ（第２操作体の一例）と、スプール軸の先端に装着されたスプール着脱用の係止具（第１操作体の一例）と、スプール軸に回転不能に装着され外周に雄ねじ部が形成されたスプール受け（筒状体の一例）とを備えている。第１操作体は、スプール軸の先端に形成された第１雄ねじ部に螺合しており、脱落を防止するために第２操作体により覆われている。第２操作体は、スプール受けの第２雄ねじ部に螺合する押圧体に回転不能に係合している。第２操作体は、第１操作体の前方を覆うアーチ状のカバー部を有している。スプール受けは、スプール軸に固定されたストッパー及び第１操作体に接触して前後移動が規制されている。
【０００３】
このような構成の前者の従来のドラグ調整つまみでは、ドラグ力を調整するときには、第２操作体を回す。第２操作体を回すと、押圧体がスプール受け部に対して回転してスプール軸方向に前後移動し、ドラグ機構のドラグ力が変化する。また、スプールを着脱する際には、第１操作体を回す。第１操作体をねじが緩む方向に回すと、第１操作体がスプール軸から外れドラグ調整つまみが外れてスプールを取り外すことができる。
【０００４】
後者のスプール調整つまみは、スプール軸の先端に螺合する第１調整体（第１操作体の一例）と、第１調整体のスプール側に配置され、第１調整体の径方向外方に位置する操作部を有する第２調整体（第２操作体の一例）と、第１調整体の調整力をドラグ機構に伝達する伝達部材（筒状体の一例）とを有している。第１操作体は筒状であり、第２操作体は、第１操作体の外周側から径方向外方に延びている。筒状体は、スプール軸に回転不能かつ軸方向方向移動自在に設けられており、筒状体と第２操作体との間にはカムやねじなどからなる移動機構が設けられている。
【０００５】
このような構成の後者の従来のドラグ調整つまみでは、大まかな初期ドラグ力を第１操作体で調整する。そして、第２操作体では、初期ドラグ力より増加するドラグ力を細かく調整する。
【特許文献１】特開平１１−３１８２８５号公報
【特許文献１】実公平６−２９０３２号公報
【発明の開示】
【発明が解決しようとする課題】
【０００６】
前記両従来の構成では、第１操作体の外周部が露出しているので、他のものとの意図しない接触や衝突により第１操作体が回転するおそれがある。第１操作体が回転すると、前者の従来技術ではスプールがスプール軸に対して緩んでがたつくおそれがある。後者の従来技術ではドラグ力が変化するおそれがある。このように、２つの操作体を有するドラグ調整つまみにおいて、スプール軸の先端に配置された第１操作体が釣り人の意図に反して回動すると上記のような不具合が発生するおそれがある。
【０００７】
本発明の課題は、２つの操作体を有するドラグ調整つまみにおいて、先端側に配置された第１操作体が不意に回動しないようにすることにある。
【課題を解決するための手段】
【０００８】
発明１に係るスピニングリールのドラグ調整つまみは、スピニングリールのリール本体に対して前後移動自在であり先端に第１係合部が形成されたスプール軸に、後方への移動が規制された状態で回転自在に装着されたスプールを制動するドラグ機構のドラグ力を調整するつまみであって、第１操作体と、筒状体と、第２操作体とを備えている。第１操作体は、スプール軸との相対回転により前後移動するように第１係合部に係合する第１被係合部を有する円筒状のものである。筒状体は、第１操作体の後方に配置され、第１操作体により前方への移動が規制された状態でスプール軸に回転不能にかつ軸方向移動自在に装着され、外周に第２係合部を有するものである。第２操作体は、第１操作体と同芯に配置され、第１操作体の周囲を筒状に覆いかつ部分的に露出させるカバー部、及び筒状体との相対回転により前後移動するように第２係合部に係合する第２被係合部を有し、ドラグ機構に接触してドラグ力を調整するためのものである。
【０００９】
このドラグ調整つまみでは、第１操作体を回すと、第１係合部とそれに係合する第１被係合部との作用により第１操作体がスプール軸に対して前後移動して、たとえばドラグ力の調整又はスプールの着脱操作を行える。また、第２操作体を回すと、筒状体の第２係合部とそれに係合する第２非係合部との作用により第２操作体がスプール軸方向に移動してドラグ力の調整操作を行える。この第２操作体には、第１操作体の周囲を覆いかつ部分的に露出させるカバー部を有している。この露出部分で第１操作体を操作できるとともに、露出部分を除くカバー部分で第１操作体への不意の接触や衝突を防ぐことができる。ここでは、第２操作体にカバー部を設けて第１操作体の周囲を操作可能に覆うようにしたので、第１操作部に他のものが接触したり衝突したりしても第１操作部が回りにくくなる。ことため、２つの操作体を有するドラグ調整つまみにおいて、先端側に配置された第１操作体が不意に回動しにくくになる。
【００１０】
発明２に係るスピニングリールのドラグ調整つまみは、発明１に記載のつまみにおいて、第１及び第２係合部は、第１及び第２雄ねじ部であり、第１及び第２被係合部は、第１及び第２雄ねじ部に螺合する第１及び第２雌ねじ部である。この場合には、通常スプール軸の先端に形成される第１雄ねじ部を利用して簡素な構造で係合部及び被係合部を形成できる。
【００１１】
発明３に係るスピニングリールのドラグ調整つまみは、発明１又は２に記載のつまみにおいて、第２操作体は、カバー部及び第２被係合部を有する第２操作体本体と、第２操作体本体とドラグ機構との間に両者に接触可能に配置され、スプール軸に対して回転不能かつ軸方向移動自在な押圧体とを有する。この場合には、ドラグ機構にスプール軸に対して回転不能な押圧体が接触するので、ドラグ調整時に第２操作体本体を回して調整しても、ドラグ機構には回転しない押圧体が接触する。このため、ドラグ調整をスムーズに行える。
【００１２】
発明４に係るスピニングリールのドラグ調整つまみは、発明１から３のいずれかに記載のつまみにおいて、筒状体は、第１操作体の後部に接触して配置されて前方への移動が規制されるとともに、後方へ移動自在にスプール軸に装着されており、第１操作体は、１回転当たり第２操作体と異なる移動量でスプール軸に対して移動してドラグ力を調整するために使用される。この場合には、第１操作体と第２操作体とで異なるレンジでドラグ力を調整でき、たとえば、第１又は第２操作体で大まかなドラグ力の調整を行い、第２又は第１操作体で細かな調整を行える。
【００１３】
発明５に係るスピニングリールのドラグ調整つまみは、発明１から３のいずれかに記載のつまみにおいて筒状体は、第１操作体の後部に接触して配置されて前方への移動が規制されるとともに、後方への移動が規制された状態でスプール軸に装着されており、第１操作体は、スプール軸に対してスプールを着脱操作するために使用される。この場合には、第１操作体によりドラグつまみを外してスプールを外した後に再度スプールを装着したときに、第２操作体によるドラグ力の再設定が不要になる。
【００１４】
発明６に係るスピニングリールのドラグ調整つまみは、発明１から５のいずれかに記載のつまみにおいて、カバー部は、第１操作体の周囲を覆う筒状のカバー部本体と、カバー部本体の対向する周面に形成され第１操作体の周面を露出させる１対の切欠き部とを有する。この場合には、対向して形成された１対の切欠き部により第１操作体を２本の指でつまんで操作できる。
【００１５】
発明７に係るスピニングリールのドラグ調整つまみは、７発明１から６のいずれかに記載のリールにおいて、第２操作体は、第１操作体の前端部を部分的に覆う橋絡部をさらに有する。この場合には、第１操作体の前端部を覆うことにより、第１操作体が突出していても釣り糸が引っ掛かりにくくなる。
【００１６】
発明８に係るスピニングリールのドラグ調整つまみは、発明１から７のいずれかに記載のつまみにおいて、筒状体を第１操作体に対して相対回転自在に抜け止めする第１抜け止め部をさらに備える。この場合には、第１抜け止め部により筒状体が第１操作体に対して抜け止めされるので、つまみを外したときに筒状体と第１操作体とがばらけなくなる。
【００１７】
発明９に係るスピニングリールのドラグ調整つまみは、発明８に記載のつまみにおいて、第１操作体は、後端面に開口して形成された円形の凹部と、後端面と対向する前端面から凹部の外縁部を通って後端面の手前側まで周方向に間隔を隔てかつ円形の軸方向に沿って形成された複数の係止溝とを有する筒状の第１操作体本体と、第１操作体本体の内周部に回転不能かつ前方への移動が規制された状態で装着され前記第１被係合部を有するナット部材とを有し、筒状体は、凹部に収納される第１鍔部を有し、第１抜け止め部は、複数の係止溝に係止される複数の係合部と、係合部と一体形成され筒状体の第１鍔部に開口側から接触する接触部とを有し、筒状体を抜け止めするために凹部の開口側から装着可能な弾性を有するばね部材である。この場合には、第１操作体の凹部の開口側から筒状体の第１鍔部を収納し、この状態で開口側から第１抜け止め部を開口を通るように圧縮しながら凹部内に収納し、凹部の外縁部に形成された係止溝に係合部を位置決めして圧縮状態を解除する。すると、係止溝は、凹部の第１端面より手前側までしか形成されていないので、第１端面とのあいだで段差が生じ、その段差に係合部が係止されて抜け止め部材は第１操作体本体の開口側に移動できなくなる。また、この状態で筒状体の開口側に接触部が接触して筒状体も開口側に移動できなくなる。このため、筒状体が抜け止めされる。この係止溝は、前端面から後端面に向けて形成されているので、型成形時に型により形成することができる。ここでは、第１抜け止め部を係止するための構造を型成形により形成できるので、第１抜け止め部の係止構造を機械加工することなく実現でき、加工コストを低減することができる。
【００１８】
発明１０に係るスピニングリールのドラグ調整つまみは、発明３から９のいずれかに記載のつまみにおいて、押圧体を第２操作体本体に対して相対回転自在に抜け止めする第２抜け止め部をさらに備える。この場合には、押圧体が第２操作体に対して抜け止めされるので、第１操作体を緩めてスプール軸から外すとき、つまみ全体をばらけることなく取り外すことができる。
【００１９】
発明１１に係るスピニングリールのドラグ調整つまみは、発明１０に記載のつまみにおいて、第２操作体本体は、後端面に開口して形成された円形の凹部を有し、押圧体は、凹部に収納される第２鍔部を有し、第２抜け止め部は、頭部を有し第２操作体にねじ込まれ頭部で鍔部を係止可能なねじ部材である。この場合には、ねじ部材の頭部を利用して押圧体を回転自在に簡単に抜け止めできる。
【００２０】
発明１２に係るスピニングリールのドラグ調整つまみは、発明１から１１のいずれかに記載のつまみにおいて、第１操作体と筒状体との相対回転により発音する第１発音部をさらに備える。この場合には、この場合には、第１操作体の操作を確実に認識できる。
【００２１】
発明１３に係るスピニングリールのドラグ調整つまみは、発明３から１２のいずれかに記載のつまみにおいて、第２操作体本体と押圧体との相対回転により発音する第２発音部をさらに備える。この場合には、第２操作体の操作を確実に認識できる。
【００２２】
発明１４に係るスピニングリールのドラグ調整つまみは、発明１３に記載のつまみにおいて、第１発音部は、第２発音部より細かなピッチのクリック音を発生する、請求項１３に記載のスピニングリールのドラグ調整つまみ。
【００２３】
発明１５に係るスピニングリールのドラグ調整つまみは、発明２から１４のずれかに記載のつまみにおいて、第２雄ねじ部は、第１雄ねじ部よりリードが大きく、かつ第２操作体は、回動範囲が３６０度未満に限定されている。この場合には、第２操作体が体１操作体に比べて回動量に対して前後移動量が大き工なるとともに、第２操作体の前後移動範囲を所定量に限定でき、設定値へのドラグ力の変更が容易になる。
【発明の効果】
【００２４】
本発明によれば、第２操作体にカバー部を設けて第１操作体の周囲を操作可能に覆うようにしたので、第１操作部に他のものが接触したり衝突したりしても第１操作部が回りにくくなる。ことため、２つの操作体を有するドラグ調整つまみにおいて、先端側に配置された第１操作体が不意に回動しにくくなる。
【発明を実施するための最良の形態】
【００２５】
〔第１実施形態〕
〔全体構成及びリール本体の構成〕
本発明の第１実施形態を採用したスピニングリールは、図１に示すように、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００２６】
リール本体２は、図１及び図２に示すように、側部に開口を有するリールボディ２ａと、リールボディ２ａの開口２ｃを閉塞するための蓋体２ｄと、蓋体２ｄから斜め上前方に一体で延びるＴ字状の竿取付脚２ｂとを有している。
【００２７】
リールボディ２ａは、内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００２８】
リールボディ２ａの前部には、ロータ３の後部を塞ぐ円形のフランジ部２ｅが蓋体２ｄとによって形成されている。リールボディ２ａ側のフランジ部２ｅの後部には、円形の隔壁２ｇが形成されており、隔壁２ｇの後部に円形の空間が形成されている。
【００２９】
〔ロータの構成〕
ロータ３は、図１に示すように、後端が開口する円筒部３０と、円筒部３０の側方に互いに対向してそれぞれ設けられた第１ロータアーム３１及び第２ロータアーム３２とを有している。円筒部３０と第１ロータアーム３１及び第２ロータアーム３２とは一体成形されている。
【００３０】
円筒部３０は、リールボディ２ａのフランジ部２ｅの外周側に配置されている。円筒部３０の開口する後部は、フランジ部２ｅにより塞がれている。円筒部３０の前部には前壁３３が形成されており、前壁３３の中央部にはボス３３ａが形成されている。このボス３３ａの貫通孔をピニオンギア１２の雄ねじ部１２ｅ及びスプール軸１５が貫通している。前壁３３の前方側にはナット３４が配置されており、このナット３４がピニオンギア１２の先端の雄ねじ部１２ｅに螺合してロータ３をピニオンギア１２に固定している。
【００３１】
第１ロータアーム３１及び第２ロータアーム３２の先端には、釣り糸をスプール４に案内するためのベールアーム４４が糸巻き取り姿勢と糸開放姿勢との間で揺動自在に装着されている。
【００３２】
ロータ３の円筒部３０の隔壁２ｇの前側の空間内にはロータ３の逆転防止機構５０が配置されている。逆転防止機構５０は、ローラ型のワンウェイクラッチ５１と、ワンウェイクラッチ５１を作動状態及び非作動状態に切り換える操作機構５２とを有している。ワンウェイクラッチ５１は、外輪がリールボディ２ａに固定され、内輪がピニオンギア１２に回転不能に装着されている。操作機構５２は、リールボディ２ａの後部に配置された操作レバー５３を有しており、操作レバー５３を揺動させることでワンウェイクラッチが２つの状態に切り換られ、作動状態のときにロータ３が逆転不能になり、非作動状態のときロータ３が逆転可能になる。
【００３３】
〔スプールの構成〕
スプール４は、ロータ３の第１ロータアーム３１と第２ロータアーム３２との間に配置されており、スプール軸１５の先端に後方への移動が規制された状態で回転自在に装着されている。スプール軸１５は、図３に示すように、先端に向かって徐々に縮径するような段付き軸である。スプール軸１５は、先端の小径部分に形成された第１雄ねじ部１５ａを有している。第１雄ねじ部１５ａは、単条ねじである。また、第１雄ねじ部１５ａの基端側には、互いに平行な面取り部１５ｂを有している。スプール軸１５は、基端にオシレーティング機構６の後述するスライダ２２が回転かつ移動不能に装着されるスライダ装着部１５ｃを有している。
【００３４】
スプール４は、たとえばアルミニウム鍛造製のものであり、外周に釣り糸が巻き付けられる糸巻胴部４ａと、糸巻胴部４ａの後部に一体成形された大径のスカート部４ｂと、糸巻胴部４ａの前部に一体形成された大径の前フランジ部４ｃとを有している。糸巻胴部４ａはロータ３の円筒部３０の外周側まで延びる円筒状の部材である。糸巻胴部４ａは、内周側にスプール軸１５に装着されるボス部が形成された円板状の装着部４ｄを有している。装着部４ｄは、鍔付きブッシュ５５を介してスプール軸１５に回転自在に装着されている。装着部４ｄの前面には、スプール４を制動するドラグ機構６０を収納する筒状のドラグ収納部４ｅが形成されている。ドラグ収納部４ｅの内周面には、軸方向に沿って係止溝４ｆが１対形成されている。
【００３５】
〔ドラグ機構の構成〕
ドラグ機構６０は、スプール４を制動するものであり、スプール軸１５の第１雄ねじ部１５ａに螺合するドラグ調整つまみ６１によりドラグ力を調整可能である。ドラグ機構６０は、スプール軸１５の面取り部１５ｂに回転不能に係止される第１及び第２ドラグ座金７０，７１と、スプール４の係止溝４ｆに回転不能に係止される第３ドラグ座金７２とを有している。第３ドラグ座金７２は、第１及び第２ドラグ座金７０，７１の間に配置されている。第１ドラグ座金７０と第３ドラグ座金７２との間、第３ドラグ座金７２と第２ドラグ座金７１との間、及び第２ドラグ座金７２とスプール４の装着部４ｄとの間には、たとえばフェルト製のドラグディスク７４が介装されている。ドラグ収納部４ｅと、ドラグ調整つまみ６１の後端外周部との間には、その隙間からドラグ機構６０に液体などの異物の侵入を防止するシール部材５６が装着されている。
【００３６】
〔ドラグ調整つまみの構成〕
ドラグ調整つまみ６１は、図４から図６に示すように、第１雄ねじ部１５ａに螺合する第１雌ねじ部９１を有する第１操作体８０と、第１操作体８０に対して相対回転自在な筒状体８１と、筒状体８１に対して相対回転自在な第２操作体本体１００及び第２操作体本体１００とドラグ機構６０とにの間に両者に接触可能に配置された押圧体８３を有する第２操作体８２とを有している。また、ドラグ調整つまみ６１は、第１操作体８０と筒状体８１との相対回転により発音する第１つまみ発音部８４と、第２操作体本体１００と押圧体８３との相対回転により発音する第２つまみ発音部８５とを有している。
【００３７】
第１操作体８０は、筒状の第１操作体本体９０と、第１雌ねじ部９１が内周面に形成された第１ナット９２とを有している。
第１操作体本体９０は、第１操作体８０を回動操作するためのものである。第１操作体本体９０は、後端面９０ａにスプール軸芯と同芯に開口して形成された円形の筒状体収納凹部９０ｂと、後端面９０ａと対向する前端面９０ｃから筒状体収納凹部９０ｂの外縁部を通って後端面９０ａの手前側まで周方向に間隔を隔てかつ円形の軸方向に沿って形成されたたとえば４つの係止溝９０ｄとを有している。この係止溝９０ｄに後述する抜け止めばね９５が装着されている。第１操作体本体９０の内周部には、第１ナット９２を回転不能かつ前方への移動を規制して装着するための第１ナット収納部９０ｅが形成されている。また、前端面には、係止溝９０ｄの開口部分に浅いリング溝９０ｆが形成されており、リング溝９０ｆには、係止溝９０ｄの開口部分を塞ぐ銘版シール９３が貼り付けられている。このような銘版シール９３で開口部分を塞ぐことにより、液体などの異物の侵入や付着を防ぐとともに美観の向上を図ることができる。また、第１操作体本体９０の筒状体収納凹部９０ｂの底面には、第１つまみ発音部８４を収納するための円形のピン収納凹部９０ｇが直径上に２箇所形成されている。また、前面の中心には中心孔９０ｈが形成されている。
【００３８】
第１ナット９２は、内周面に第１雌ねじ部９１が形成された六角ナットである。第１ナット９２は、第１操作体本体９０のナット収納部９０ｅに回転不能かつ前方への移動が規制された状態で装着されている。第１ナット９２は、ワッシャ９６を介して第１操作体本体９０に抜け止めされた筒状体８１に接触している。このため、第１ナット９２は、第１操作体本体９０と筒状体８１とに挟持された状態になる。
【００３９】
筒状体８１は、第１操作体８０の後部に接触してスプール軸１５に回転不能かつ軸方向移動自在に装着され、外周に第１雄ねじ部１５ａとねじのリードが異なる第２雄ねじ部９８を有する概ね筒状の部材である。筒状体８１は、前端部に大径の第１鍔部８１ａを有している。第１鍔部８１ａの外径は、第１操作体本体９０の筒状体収納凹部９０ｂの内径より小さく、筒状体収納凹部９０ｂに挿入可能なものである。第１鍔部８１ａの前端面は、筒状体収納凹部９０ｂの底面に接触して配置されている。また、第１鍔部８１ａの前端面には、第１つまみ発音部８４を構成する多数の音出し凹部８４ａが周方向に間隔を隔てて形成されている。第１鍔部８１ａから間隔を隔てて後方には、第２雄ねじ部９８が形成されている。第２雄ねじ部９８は、第１雄ねじ部１５ａよりピッチが大きい２条ねじである。このため、第２雄ねじ部９８のリードは第１雄ねじ部１５ａのリードより大きくなる。第１鍔部８１ａと第２雄ねじ部９８との間には小径の抜け止め凹部８１ｂが形成されている。抜け止め凹部８１ｂは、抜け止めばね９５を装着するために設けられている。第２雄ねじ部９８の後方には互いに平行な面取り部８１ｃが形成された回転係止部８１ｄが設けられている。回転係止部８１ｄは、押圧体８３を回転不能かつ軸方向移動自在に装着するために設けられている。また、筒状体８１の内周面には、スプール軸１５の面取り部１５ｂに回転不能に係合する断面が長円形の係止孔８１ｅが形成されている。
【００４０】
抜け止めばね９５は、金属線材を折り曲げて形成されたものである。抜け止めばね９５は、筒状体８１を第１操作体８０に回転回転自在に抜け止めするために筒状体収納凹部９０ｂの開口側から装着可能なものである。抜け止めばね９５は、４つの係止溝９０ｄに後方への移動が規制された状態で係止される角部で構成される係合部９５ａと、係合部９５ａと一体形成され筒状体８１の第１鍔部８１ａの後面に筒状体収納凹部９０ｂの開口側から接触して第１鍔部８１ａの後方への移動を規制する接触部９５ｂとを有している。ここでは、抜け止めばね９５を係止するための構造を円形の型成形により形成できるので、抜け止めばね９５の係止構造を機械加工することなく実現でき、加工コストを低減することができる。
【００４１】
第２操作体８２は、円板状の第２操作体本体１００と、第２雄ねじ部９８に螺合する第２雌ねじ部１０１を有する第２ナット１０２と、第２操作体本体１００の前面に固定された把手部１０３と、前述した押圧体８３とを有している。
【００４２】
第２操作体本体１００は、つまみボディ１００ａと、つまみボディ１００ａから前方に突出する１対の把手連結部１００ｂと、把手連結部１００ｂの間で先細り筒状につまみボディ１００ａに突出するカバー部１００ｃとを有している。また、第２操作体本体１００は、つまみボディ１００ａから後方に突出する筒状の第２ナット収納部１００ｄと、第２ナット収納部１００ｄの外周側に後方に突出して形成された押圧体収納凹部１００ｅとを有している。
【００４３】
つまみボディ１００ａは、中心部を貫通孔が形成された皿状の部分である。把手連結部１００ｂは、つまみボディ１００ａの直径上の両端部分から前方にやや中心側に傾斜して突出している。把手連結部１００ｂには、把手部１０３を装着するための貫通孔１００ｆが形成されており、把手連結部１００ｂに把手部１０３がねじ止め固定されている。また、一方の把手連結部１００ｂの後面には、第２つまみ発音部８５を収納するための円形のピン収納凹部１００ｇが形成されている。カバー部１００ｃは、第１操作体８０の第１操作体本体９０の周囲を覆いかつ部分的に露出させるように形成されている。具体的には、先細りの筒状部の両側に１対の切欠き部１００ｈを形成することにより第１操作体本体９０の周囲を部分的に露出している。この露出部分で第１操作体８０をつまんで回動させることができる。第２ナット収納部１００ｄは、第２ナット１０２を回転不能かつ前方への移動を規制して装着する。押圧体収納凹部１００ｅには、押圧体８３の後述する第２鍔部１１０ａが回転自在に抜け止めされた状態で収納されている。また、押圧体収納凹部１００ｅの内周側には、略３３０度の範囲で第２操作体８２の回転を規制するためのＣ字状の回動規制溝１００ｉがスプール軸芯と同芯に形成されている。
【００４４】
第２ナット１０２は、内周面に第２雌ねじ部１０１が形成された六角ナットである。第２ナット１０２は、第２操作体本体１００のナット収納部１００ｄに回転不能かつ前方への移動が規制された状態で装着されている。第２ナット１０２は、第２操作体本体１００に抜け止めされた押圧体８３に接触している。このため、第２ナット１０２は、第２操作体本体１００と、押圧体８３とに挟持された状態になる。
【００４５】
把手部１０３は、第２操作体８２を回動操作するためのものである。把手部１０３は、第２操作体本体１００の直径上に延びる橋絡部１０３ａと、橋絡部１０３ａから後方に延びる１対の取付筒部１０３ｂと、橋絡部１０３ａの中心から後方に延びて第１操作体本体９０の中心孔９０ｈに挿通される軸部１０３ｃと、橋絡部１０３ａの中心部から碗状に拡がる拡張部１０３ｄとを有している。軸部１０３ｃを中心孔９０ｈに挿通させることにより、ドラグ調整つまみ６１をスプール軸１５から外しても、第１操作体８０が第２操作体８２から脱落しないようにしている。第１操作体８０１対の取付筒部１０３ｂは、把手連結部１００ｂの後面より僅かに凹んで貫通孔１００ｆを貫通している。がこの取付筒部１０３ｂの後端面にビス１０５がねじ込まれて、把手部１０３は、第２操作体本体１００に固定されている。橋絡部１０３ａは、拡張部１０３ｄとで第１操作体８０の第１操作体本体９０の前端面を部分的に覆っている。ここでは、第１操作体８０の前端部を部分的に覆うことにより、第１操作体８０が突出していても釣り糸が引っ掛かりにくくなる。また、一部を露出させた状態で第１操作体８０の周囲をカバー部１００ｃで覆っているので、露出した部分での第１操作体８０の操作を可能にして釣り糸が第１操作体８０にさらに引っ掛かりにくくなるとともに、第１操作部８０に他のものが接触したり衝突したりしても第１操作部８０が回りにくくなる。このため、２つの操作体８０，８２を有するドラグ調整つまみ６１において、先端側に配置された第１操作体８０が不意に回動しにくくになる。
【００４６】
押圧体８３は、第２操作体８２とドラグ機構６０との間に両者に接触して配置され、スプール軸１５に対して回転不能かつ軸方向移動自在なものである。押圧体８３は、第２鍔部１１０ａを有する円板状の押圧体本体１１０と、押圧体本体１１０をスプール軸１５に回転不能に装着された筒状体８１に対して回転不能に連結するための歯付きワッシャ１１１とを有している。
【００４７】
押圧体本体１１０は、筒状体８１に回転自在に装着されており、前端部に押圧体収納凹部１００ｅに外周縁が収納される第２鍔部１１０ａを有している。第２鍔部１１０ａは、把手部１０３を第２操作体本体１００に固定するための２本のビス１０５により、第２操作体本体１００に回転自在に抜け止めされている。押圧体本体１１０の内周部には、歯付きワッシャ１１１に回転不能に係合する係合凹部１１０ｂが形成されている。また、第２鍔部１１０ａの前端面には、回動規制溝１００ｉに係合する規制突起１１０ｃが前方に突出して形成されている。この規制突起１１０ｃが回動規制溝１００ｉに係合することにより、第２操作体８２の回動範囲が規制されている。このように回動範囲を規制することにより、設定値へのドラグ力の変更が容易になる。さらに、第２鍔部１１０ａの規制突起１１０ｃ形成部分を除く前端面には、第２つまみ発音部８５を構成する多数の音出し凹部８５ａが周方向に間隔を隔てて形成されている。
【００４８】
歯付きワッシャ１１１は、押圧体本体１１０をスプール軸１５に対して回転不能にするために設けられている。具体的には、スプール軸１５に対して回転不能な筒状体８１に回転不能に装着されて、押圧体８３をスプール軸１５に対して回転不能にしている。歯付きワッシャ１１１は、外周に周方向に間隔を隔てて径方向に突出して形成された複数の係止歯１１１ａを有している。係止歯１１１ａは、等間隔に形成されているが１箇所だけ形成されていないところがある。これにより、第２操作体８２に対して押圧体８３を所定の回転位相で組み付けることができる。歯付きワッシャ１１１の内周面には、筒状体８１の回転係止部８１ｄに回転不能に係合する長孔状の係止孔１１１ｂが形成されている。この係止孔１１１ｂは、係止歯１１１ａに対して所定の回転位相で形成されている。
【００４９】
第１つまみ発音部８４は、筒状体８１に形成された音出し凹部８４ａと、２つのピン収納凹部９０ｇに音出し凹部８４ａに向けて進退自在に収納された２つの音出しピン１１５と、音出しピン１１５を音出し凹部８４ａに向けて付勢する音出しばね１１６とを有している。
【００５０】
第２つまみ発音部８５は、把手連結部１００ｂに形成された音出し凹部８５ａと、ピン収納凹部１００ｇに音出し凹部８５ａに向けて進退自在に収納された音出しピン１２０と、音出しピン１２０を音出し凹部８５ａに向けて付勢する音出しばね１１６とを有している。
【００５１】
２つの発音部８４，８５において、音出しピン１１５，１２０の頭部の径は音出しピン１１５の方が小径である。また、音出し凹部８４ａの方が音出し凹部８５ａより間隔が狭い。このため、第１つまみ発音部８４の方が第２つまみ発音部８５より細かなクリック音を発する。
【００５２】
また、スプール４の後部には、図３に示すように、ドラグ機構６０が作動してスプール４がスプール軸１５に対して回転すると発音するドラグ発音部６２が密着して配置されている。ドラグ発音部６２は、図３に示すように、鍔付きブッシュ５５の鍔部の後面にワッシャ６５を介して装着された音出し部材１２５と、音出し部材１２５に接触可能にスプール４に揺動自在に装着された有底筒状の音出し爪１２６と、音出し爪１２６を音出し部材１２５に接触する位置に付勢するコイルばね（図示せず）とを有している。音出し部材１２５はスプール軸に回転自在に装着されている。音出し部材１２５は、スプール軸１５の面取り部１５ｂの後端部に後方への移動が規制された状態で回転不能に装着されたスプールワッシャ６６に回転不能に係止されている。これにより、音出し部材１２５はスプール軸１５に対して回転不能になっている。なお、スプールワッシャ６６は、音出し部材１２５及びワッシャ６５を介してスプール４の後方への移動を規制している。音出し部材１２５は、スプール４の装着部４ｄのボス部外周に配置される音出し筒部１２５ａを有しており、音出し筒部１２５ａの外周面に音出し凸部１２５ｂが周方向に間隔を隔てて多数形成されている。
【００５３】
音出し爪１２６は、スプール４の装着部４ｄに後方に突出して筒状に形成された装着筒部４ｇの端面に圧入固定された揺動ピン１２７に揺動自在に支持されている。音出し爪１２６と装着筒部４ｇの端面との間にはワッシャ１２８が介装されている。このようにワッシャ１２８を介装することにより、ワッシャ１２８により音出し爪１２６を揺動方向と交差する方向にふれないように支持することができ、音出し爪１２６を支持する面を装着筒部４ｇに設ける必要がなくなる。このため、装着筒部４ｇの径方向の肉厚を薄くすることができ、アルミニウム鍛造製のスプール４の軽量化を図ることができる。
【００５４】
〔ロータ駆動機構の構成〕
ロータ駆動機構５は、図１及び図２に示すように、ハンドル１が回転不能に装着されたメインギア軸１０と、メインギア軸１０とともに回転するフェースギアであるメインギア１１と、このメインギア１１に噛み合うピニオンギア１２とを有している。
【００５５】
ピニオンギア１２は、メインギア１１と食い違う回りにリールボディ２ａに回転自在に装着されている。ピニオンギア１２は、図１に示すように、ハンドル１の回転に連動して回転する筒状の部材であり、前後に延びるスプール軸１５が中心部を貫通している。ピニオンギア１２は、メインギア１１及び後述する大径ギア１９に噛み合うギア部１２ａと、ギア部１２ａの先端側に形成された筒部１２ｂと、ギア部１２ａの軸方向前方（図２左側）に配置されギア部１２ａより小径に形成された切欠き部１２ｃとを有している。ピニオンギア１２は、筒部１２ｂとギア部１２ａの後部側とでリールボディ２ａに軸受１４ａ、１４ｂを介して回転自在に支持されている。ギア部１２ａは、フェースギアであるメインギア１１に噛み合うねじ歯車である。筒部１２ｂの先端には、雄ねじ部１２ｅが形成されている。雄ねじ部１２ｅに螺合するナット３４によりロータ３がピニオンギア１２の筒部１２ｂの先端部に固定されている。切欠き部１２ｃは、周方向に形成された環状の溝部であり、溝部の軸方向長さは、後述する従動ギア１６のギア部分の軸方向長さより長い。
【００５６】
〔オシレーティング機構の構成〕
オシレーティング機構６は、ハンドル１の回転に連動してスプール軸１５を介してスプール４を前後に往復移動させる機構である。オシレーティング機構６は、大径ギア１９と小径ギア２０とを有し、メインギア１１と食い違う軸回りにリール本体２に回転自在に装着された段付ギア１３と、小径ギア２０に噛み合う従動ギア１６と、従動ギア１６が回転不能に装着された螺軸２１と、螺軸２１に係合して前後移動するスライダ２２と、前述したピニオンギア１２とを有している。
【００５７】
段付ギア１３は、ピニオンギア１２の回転を大きく減速して従動ギア１６に伝達するために設けられている。従動ギア１６は、小径ギア２０に噛み合うすぐ歯ギアであり、外周部がピニオンギア１２の切欠き部１２ｃ内に配置されている。従動ギア１６の外周部は環状溝で構成される切欠き部１２ｃの底部と僅かな隙間をあけて配置されている。
【００５８】
このようにピニオンギア１２に切欠き部１２ｃを形成するとともに、従動ギア１６の外周部を切欠き部１２ｃ内に配置することにより、従動ギア１６及び螺軸２１をスプール軸１５に接近させることができ、減速比を維持しながら、リール本体２に各種のギアをコンパクトに配置できる、
螺軸２１は、スプール軸１５と平行に配置されており、リールボディ２ａに回転自在に支持されている。また、螺軸２１の外周部には螺旋状の交差する溝２１ａが形成されている。この螺軸２１の先端に前述したように従動ギア１６が回転不能に装着されている。
【００５９】
スライダ２２は、スライダ本体２５と、スライダ本体２５内に収納された係合部材２６とを有している。スライダ本体２５は、２本のガイド軸２４ａ、２４ｂによりスプール軸１５と平行に案内される。係合部材２６は、スライダ本体２５内に回動自在に装着されており、係合部材２６の先端は、螺軸２１の溝２１ａに噛み合っている。
【００６０】
〔リールの操作及び動作〕
このスピニングリールでは、釣りを行う前に、釣法や釣り対象の魚に応じてドラグ力を調整する。ドラグ力を調整する際には、まず第１操作体８０を回して初期ドラグ力を設定する。第１操作体８０をねじ込み方向に回すと、第１ナット９２が後方に移動して筒状体８１，第２ナット１０２及び押圧体８３を介してドラグ機構６０を押圧し、ドラグ力が増大する。逆に回すとドラグ力が減少する。このとき、第１雄ねじ部１５ａ，第１雌ねじ部９１はピッチが細かい単条ねじであるので、初期ドラグ力を細かく設定できる。
【００６１】
初期ドラグ力の設定が終わると、第２操作体８２を回して魚がかかったときの通常のドラグ力を設定する。第２操作体８２をねじ込み方向に回すと、第２ナット１０２が後方に移動して押圧体８３を介してドラグ機構６０を押圧し、ドラグ力が増大する。このとき、第２雄ねじ部９８及び第２雌ねじ部１０１は、２条ねじでありしかもピッチが粗いため、第２操作体８２の回動に対して第２ナット１０２が第１ナット９２に比べて大きく後方に移動する。したがって、第２操作体８２を回僅かに動させるだけでドラグ力を大きく変化させることができる。
【００６２】
ここでは、２条ねじを用いた第２操作体８２と単条ねじを用いた第１操作体８０とで仮に同じピッチのねじを用いたとしても、２条ねじを用いた第２操作体８２の回転量に対する後方への移動量は、単条ねじを用いた第１操作体８０の条数倍になる。しかも、２条ねじのため、単条ねじを用いた操作体とピッチを同じにして、螺合するねじ山の数を同じにすることもできる。このため、ねじのピッチをそれほど大きくする必要がなくなり、ねじの強度を維持して所望のドラグ力に素早く設定できるようになる。
【００６３】
また、第２操作体８２にカバー部１００ｃを設けて第１操作体８０の周囲を操作可能に覆うようにしたので、第１操作部８０に他のものが接触したり衝突したりしても第１操作部が回りにくくなる。ことため、２つの操作体８０，８２を有するドラグ調整つまみ６１において、先端側に配置された第１操作体８０が不意に回動しにくくになる。
【００６４】
キャスティング時には、ベールアーム４４を糸巻き取り姿勢から糸開放姿勢に倒す。そして、釣竿を振って仕掛けをキャスティングする。すると、スプール４の先端から釣り糸が螺旋状に放出される。このとき、スプール４に釣り糸が密に巻き付けられているので、放出抵抗が少なくなる。
【００６５】
釣り糸巻き取り時には、ベールアーム４４を糸巻き取り姿勢に倒す。これは、ハンドル１を糸巻き取り方向に回転させると図示しないカムとバネの働きにより自動的に行われる。ハンドル１を糸巻き取り方向に回転させると、この回転力はメインギア軸１０及びメインギア１１を介してピニオンギア１２に伝達される。このピニオンギア１２に伝達された回転力は、ピニオンギア１２の前部を介してロータ３に伝達され、ロータ３が糸巻き取り方向に回転する。
【００６６】
一方、ピニオンギア１２に噛み合う大径ギア１９によって段付ギア１３が回転し、その回転が小径ギア２０を介して従動ギア１６に伝達される。この結果、ピニオンギア１２の回転速度、すなわちロータ３の回転速度より小さい回転速度で螺軸２１が回転する。そして、螺軸２１の回転により螺軸２１の溝２１ａに噛み合うスライダ２２がガイド軸２４ａ、２４ｂに案内されて前後方向に移動する。そして、ベールアーム４４によってスプール４に案内された釣り糸はスプール４の糸巻胴部４ａに巻き付けられ、スプール４に釣り糸が密に巻き付けられる。このため、スプール４に釣り糸が効率よく巻き付けられる。
【００６７】
〔第２実施形態〕
前記第１実施形態では、第１操作体８０で初期ドラグ力を細かく設定し、第２操作体８２で通常のドラグ力を設定するように構成したが、図７及び図８に示すように、第１操作体１８０でスプールの着脱操作をし、第２操作体１８２でドラグ力を調整するようにしてもよい。なお、同一符号の部材は第１実施形態と同一の部材である。
【００６８】
図７及び図８において、ドラグ調整つまみ１６１は、第１雄ねじ部１５ａに螺合する第１雌ねじ部９１を有する第１操作体１８０と、第１操作体１８０に対して相対回転自在な筒状体１８１と、筒状体１８１に対して相対回転自在な第２操作体本体２００及び第２操作体本体２００とドラグ機構６０とにの間に両者に接触可能に配置された押圧体１８３を有する第２操作体１８２とを有している。また、ドラグ調整つまみ１６１は、第２操作体本体２００と押圧体１８３との相対回転により発音するつまみ発音部１８５を有している。
【００６９】
第１操作体１８０は、筒状の第１操作体本体１９０と、第１雌ねじ部１９１が内周面に形成された第１ナット１９２とを有している。第１操作体本体１９０の内周部には、第１ナット１９２を回転不能かつ前方への移動を規制して装着するための第１ナット収納部１９０ａが形成されている。第１操作体本体１９０の前面の中心には中心孔１９０ｂが形成されている。第１ナット１９２は、内周面に第１雌ねじ部１９１が形成された六角ナットである。第１ナット１９２は、第１操作体本体１９０の後面に経緯されたナット収納部１９０ａに回転不能かつ前方への移動が規制された状態で装着されている。第１ナット１９２は、ワッシャ１９６を介して第１操作体本体１９０に抜け止めされた筒状体１８１に接触している。このため、第１ナット１９２は、第１操作体本体１９０と筒状体１８１とに挟持された状態になる。
【００７０】
筒状体１８１は、後端部に大径の鍔部１８１ａを有する鍔付き円筒状の部材である。筒状体１８１は、第１操作体１８０の後部に接触してスプール軸１５に回転不能かつ軸方向移動自在に装着されている。１８１の外周にはスプール４が回転自在に装着されている。また、ドラグ機構６０の第１及び第２ドラグ座金７０，７１が回転不能に装着されるとともに、第３ドラグ座金７２が回転自在に装着されている。スプール４の後端部は、鍔部１８１ａの前面に接触しており、鍔部１８１ａの後端部はワッシャ６５に接触している。ワッシャ６５は、音出し部材１２５を介してスプールワッシャ６６より後方への移動が規制されている。このため、筒状体１８１及びスプール４は、スプール軸方向後方への移動が規制されている。筒状体１８１の前端部の外周には、第２雄ねじ部１９８が他の部分より小径に形成されている。筒状体１８１の外周面には、互いに平行な対向する面取り部１８１ｂが形成され、内周面には、スプール軸１５の面取り部１５ｂに回転不能に係合する断面が長円形の係止孔１８１ｃが形成されている。筒状体１８１の前端部は、ワッシャ１９６を介して第１ナット１９２の後面に接触しており、これにより、筒状体１８１は、スプール軸方向に移動不能に位置決めされている。
【００７１】
第２操作体１８２は、円板状の第２操作体本体２００と、第２雄ねじ部１９８に螺合する第２雌ねじ部２０１を有する第２ナット２０２と、第２操作体本体２００の前面に固定された把手部２０３と、前述した押圧体１８３とを有している。
【００７２】
第２操作体本体２００は、つまみボディ２００ａと、つまみボディ２００ａから前方に突出する１対の把手連結部２００ｂと、把手連結部２００ｂの間で先細り筒状につまみボディ１００ａに突出するカバー部２００ｃとを有している。また、第２操作体本体２００は、つまみボディ２００ａから後方に突出する筒状の第２ナット収納部２００ｄと、第２ナット収納部２００ｄの外周側に後方に突出して形成された押圧体収納凹部２００ｅとを有している。
【００７３】
つまみボディ２００ａは、中心部を貫通孔が形成された皿状の部分である。把手連結部２００ｂは、つまみボディ２００ａの直径上の両端部分から前方にやや中心側に傾斜して突出している。把手連結部２００ｂには、把手部２０３を装着するための貫通孔２００ｆが形成されており、把手連結部２００ｂに把手部２０３がねじ止め固定されている。また、一方の把手連結部２００ｂの後面には、つまみ発音部１８５を収納するための円形のピン収納凹部２００ｇが形成されている。カバー部２００ｃは、第１操作体１８０の第１操作体本体１９０の周囲を覆いかつ部分的に露出させるように形成されている。具体的には、先細りの筒状部の両側に１対の切欠き部２００ｈを対向して形成することにより第１操作体本体１９０の周囲を部分的に露出している。この露出部分で第１操作体１８０をつまんで回動させることができる。第２ナット収納部２００ｄは、第２ナット２０２を回転不能かつ前方への移動を規制して装着する。押圧体収納凹部２００ｅには、押圧体１８３の後述する第２鍔部２１０ａが回転自在に抜け止めされた状態で収納されている。なお、この第２実施形態では、第２操作体１８２の回動範囲は規制されていない。
【００７４】
第２ナット２０２は、内周面に第２雌ねじ部２０１が形成された六角ナットである。第２ナット２０２は、第２操作体本体２００の第２ナット収納部２００ｄに回転不能かつ前方への移動が規制された状態で装着されている。第２ナット２０２は、第２操作体本体２００に抜け止めされた押圧体１８３に接触している。このため、第２ナット２０２は、第２操作体本体２００と、押圧体１８３とに挟持された状態になる。
【００７５】
把手部２０３は、第２操作体１８２を回動操作するためのものである。把手部２０３は、第２操作体本体２００の直径上に延びる橋絡部２０３ａと、橋絡部２０３ａから後方に延びる１対の取付筒部２０３ｂと、橋絡部２０３ａの中心から後方に延びて第１操作体本体１９０の中心孔１９０ｂに挿通される軸部２０３ｃと、橋絡部２０３ａの中心部から碗状に拡がる拡張部２０３ｄとを有している。軸部２０３ｃを中心孔１９０ｂに挿通させることにより、ドラグ調整つまみ１６１をスプール軸１５から外しても、第１操作体１８０が第２操作体１８２から脱落しないようにしている。１対の取付筒部２０３ｂは、把手連結部２００ｂの後面より僅かに凹んで貫通孔２００ｆを貫通している。この取付筒部２０３ｂの後端面にビス２０５がねじ込まれて、把手部２０３は、第２操作体本体２００に固定されている。橋絡部２０３ａは、拡張部２０３ｄとで第１操作体１８０の第１操作体本体１９０の前端面を部分的に覆っている。ここでも、第１操作体１８０の前端部を部分的に覆うことにより、第１操作体１８０が突出していても釣り糸が引っ掛かりにくくなる。また、一部を露出させた状態で第１操作体１８０の周囲をカバー部２００ｃで覆っているので、露出した部分での第１操作体１８０の操作を可能にして釣り糸が第１操作体１８０にさらに引っ掛かりにくくなるとともに、第１操作部１８０に他のものが接触したり衝突したりしても第１操作部１８０が回りにくくなる。このため、スプール着脱用の第１操作体１８０とドラグ調整用の第２操作体１８２を有するドラグ調整つまみ１６１において、先端側に配置された第１操作体１８０が不意に回動しにくくになる。
【００７６】
押圧体１８３は、第２操作体１８２とドラグ機構６０との間に両者に接触して配置され、スプール軸１５に対して回転不能かつ軸方向移動自在なものである。押圧体１８３は、第２鍔部２１０ａを有する円板状の押圧体本体２１０と、押圧体本体２１０をスプール軸１５に回転不能に装着された筒状体１８１に対して回転不能に連結するための歯付きワッシャ２１１とを有している。
【００７７】
押圧体本体２１０は、筒状体１８１に回転自在に装着されており、前端部に押圧体収納凹部２００ｅに外周縁が収納される第２鍔部２１０ａを有している。第２鍔部２１０ａは、把手部２０３を第２操作体本体２００に固定するための２本のビス２０５により、第２操作体本体２００に回転自在に抜け止めされている。押圧体本体２１０の内周部には、歯付きワッシャ２１１に回転不能に係合する係合凹部２１０ｂが形成されている。また、第２鍔部１１０ａの前端面には、つまみ発音部１８５を構成する多数の音出し凹部１８５ａが周方向に間隔を隔てて形成されている。
【００７８】
歯付きワッシャ２１１は、押圧体本体２１０をスプール軸１５に対して回転不能にするために設けられている。具体的には、スプール軸１５に対して回転不能な筒状体１８１に回転不能に装着されて、押圧体８３をスプール軸１５に対して回転不能にしている。歯付きワッシャ２１１は、外周に周方向に間隔を隔てて径方向に突出して形成された複数の係止歯２１１ａを有している。係止歯２１１ａは、等間隔に形成されているが１箇所だけ形成されていないところがある。これにより、第２操作体１８２に対して押圧体１８３を所定の回転位相で組み付けることができる。歯付きワッシャ２１１の内周面には、筒状体１８１の面取り部１８１ａに回転不能に係合する長孔状の係止孔２１１ｂが形成されている。この係止孔２１１ｂは、係止歯２１１ａに対して所定の回転位相で形成されている。
【００７９】
つまみ発音部１８５は、把手連結部２００ｂに形成された音出し凹部１８５ａと、ピン収納凹部２００ｇに音出し凹部１８５ａに向けて進退自在に収納された音出しピン２２０と、音出しピン２２０を音出し凹部１８５ａに向けて付勢する音出しばね２１６とを有している。
【００８０】
〔リールの操作及び動作〕
このスピニングリールでは、釣りを行う前に、釣法や釣り対象の魚に応じてドラグ力を調整する。ドラグ力を調整する際には、まず第２操作体１８２を回してドラグ力を設定する。第２操作体１８２をねじ込み方向に回すと、第２ナット２０２が後方に移動して押圧体１８３を介してドラグ機構６０を押圧し、ドラグ力が増大する。逆に回すとドラグ力が減少する。
【００８１】
また、バックラッシュが生じてスプール４を外すときやスプール４を交換するときには、第１操作体１８０を緩む方向に回してドラグ調整つまみ１６１を外す。第１操作体１８０を緩み方向に回すと、第１ナット１９２がスプール軸１５の先端に形成された第１雄ねじ部１５ａから外れる。ドラグ調整つまみ１６１がスプール軸１５から外れるとともに、筒状体１８１によりドラグ調整つまみ１６１と連結されたスプール４もスプール軸１５から外れる。このとき、第１操作体１８０の中心孔１９０ｂに把手部２０３の軸部２０３ｃが挿通しているので、第１操作体１８０が第２操作体１８２から外れることがない。ドラグ調整つまみ１６１及びスプール４がスプール軸１５から外れた後、第２操作体１８２をねじが緩む方向に回すと、ドラグ調整つまみ１６１が筒状体１８１から外れてスプール４を外すことができる。
【００８２】
〔他の実施形態〕
（ａ）前記第１実施形態では、第１操作体８０で初期ドラグ力を細かく設定し、第２操作体８２で通常のドラグ力を設定するようにしたが、逆でもよい。すなわち、たとえば第２操作体８２の方を単条ねじにして第１操作体８０の方を多条ねじにしてもよい。
【００８３】
（ｂ）前記両実施形態では、第２操作体に橋絡部を設けたが、橋絡部を設けずに第１操作体の前方を全体的に露出させてもよい。
【図面の簡単な説明】
【００８４】
【図１】本発明の第１実施形態を採用したスピニングリールの左側面断面図。
【図２】図１のII−II断面図。
【図３】ドラグ機構を含むスプールの断面図。
【図４】ドラグ調整つまみの分解斜視図。
【図５】ドラグ調整つまみの正面図。
【図６】図５のVI−VI断面図。
【図７】第２実施形態の図３に相当する図。
【図８】第２実施形態の図４に相当する図。
【符号の説明】
【００８５】
２  リール本体
４  スプール
１５  スプール軸
１５ａ  第１雄ねじ部
６０  ドラグ機構
６１  ドラグ調整つまみ
８０，１８０  第１操作体
８１，１８１  筒状体
８１ａ  第１鍔部
８２，１８２  第２操作体
８３，１８３  押圧体
８４  第１つまみ発音部
８５  第２つまみ発音部
９０，１９０  第１操作体本体
９０ｂ  筒状体収納凹部
９０ｄ  係止溝
９１，１９１  第２雄ねじ部
９２，１９２  第１ナット
９５  抜け止めばね（第１抜け止め部）
９５ａ  係合部
９５ｂ  接触部
１００，２００  第２操作体本体
１００ｃ，２００ｃ  カバー部
１００ｈ，２００ｈ  切欠き部
１００ｅ  押圧体収納凹部
１０１，２０１  第２雌ねじ部
１０２，２０２  第２ナット
１０３，２０３  把手部
１０３ａ，１０３ａ  橋絡部
１０５，２０５  ビス（第２抜け止め部）
１１０ａ  第２鍔部
２８５  つまみ発音部
【図１】
2005110528.tif 000003
【図２】
2005110528.tif 000004
【図３】
2005110528.tif 000005
【図４】
2005110528.tif 000006
【図５】
2005110528.tif 000007
【図６】
2005110528.tif 000008
【図７】
2005110528.tif 000009
【図８】
2005110528.tif 000010